(57)【要約】【課題】盗撮者による盗撮を防止する。【解決手段】制御部３は、カメラ起動要求を受け付け、リンガ発生用スピーカ１４が携帯電話機本体に装着されていると判断した場合は、撮影モードに移行し、撮影モードキーが押下されると、擬似シャッタ音信号出力部１５に擬似シャッタ音信号をリンガ発生用スピーカ１４に対して供給させる。同時に、撮影画像が取り込まれ、制御部３は、撮影によって得られた画像データを画像処理部２５から受け取ると、記憶部４に格納し、主表示部９に撮影画像を表示させる。一方、制御部３は、リンガ発生用スピーカ１４が携帯電話機本体から離脱したと判断した場合は、撮影モードキーが押下されていても、撮影モードに移行せずに、カメラ起動処理を中止し、例えば、故障表示を行わせるべきと判定した場合には、主表示部９に故障中の旨のメッセージを表示させる。【選択図】図２
2005117627.tif 000002
【特許請求の範囲】
【請求項１】
撮影するための電子カメラと、前記電子カメラのシャッタ操作時に、シャッタ操作を知らせる合図音を、前記スピーカを介して出力する合図音発生手段とを備えた携帯型電子機器であって、
前記合図音発生手段が、前記スピーカを介して出力できなくなったとき、前記電子カメラを起動不可にする構成になされている
ことを特徴とするカメラ内蔵の携帯型電子機器。
【請求項２】
撮影するための電子カメラと、前記電子カメラのシャッタ操作時に、シャッタ操作を知らせる合図音を、前記スピーカを介して出力する合図音発生手段とを備えた携帯型電子機器であって、
前記合図音発生手段が、前記スピーカを介して出力できなくなったとき、シャッタ操作が行われて前記電子カメラによって撮影画像が得られても、少なくとも、該撮影画像は視認不能とされる
ことを特徴とするカメラ内蔵の携帯型電子機器。
【請求項３】
前記合図音発生手段が、前記スピーカを介して出力できなくなったとき、前記電子カメラによって撮影画像が得られても、該撮影画像は保存されずに棄却処理される
ことを特徴とする請求項２記載のカメラ内蔵の携帯型電子機器。
【請求項４】
前記電子カメラの起動停止情報又は警報情報を表示する表示手段と、合図音発生機能の停止のために行われた操作に関する不正操作履歴が記憶される履歴記憶手段と、
前記不正操作履歴に基づいて、前記表示手段によって表示される前記起動停止情報又は前記警報情報の内容を制限する表示内容制限手段とを備えてなる
ことを特徴とする請求項１、２又は３記載のカメラ内蔵の携帯型電子機器。
【請求項５】
前記不正操作履歴は、前記スピーカの着脱回数を含むことを特徴とする請求項４記載のカメラ内蔵の携帯型電子機器。
【請求項６】
前記不正操作履歴は、前記スピーカが前記合図音発生手段と電気的に非接続状態のときのシャッタ操作回数を含むことを特徴とする請求項４又は５記載のカメラ内蔵の携帯型電子機器。
【請求項７】
前記スピーカと前記合図音発生手段との電気的な非接続状態を検出する非接続状態検出手段と、前記電子カメラを制御して画像情報を生成させるカメラ制御手段とを備えてなり、
前記カメラ制御手段は、前記非接続状態検出手段から非接続状態検出信号を受け取ると、前記電子カメラの起動を不可とするか、又は前記電子カメラによって撮影画像が得られても、少なくとも、該撮影画像を視認不能とする
ことを特徴とする請求項１乃至６のいずれか１に記載のカメラ内蔵の携帯型電子機器。
【請求項８】
前記カメラ制御手段は、前記不正操作履歴として、少なくとも前記スピーカが前記合図音発生手段と電気的に非接続状態とされた非接続履歴が前記履歴記憶手段に記憶されている場合には、接続状態に戻されても前記電子カメラの起動を不可とするか、又は前記電子カメラによって撮影画像が得られても、少なくとも、該撮影画像を視認不能とすることを特徴とする請求項７記載のカメラ内蔵の携帯型電子機器。
【請求項９】
前記非接続状態検出手段は、前記スピーカの前段に配置され出力側のインピーダンスを測定するインピーダンス測定手段を有し、前記インピーダンス測定手段によって測定されたインピーダンスに基づいて、前記スピーカと前記合図音発生手段との電気的な非接続状態を検出することを特徴とする請求項７又は８記載のカメラ内蔵の携帯型電子機器。
【請求項１０】
前記非接続状態検出手段は、前記合図音を検出する合図音検出手段を有し、該合図音検出手段による前記合図音の検出の有無に基づいて、前記スピーカと前記合図音発生手段との電気的な非接続状態を検出することを特徴とする請求項７、８又は９記載のカメラ内蔵の携帯型電子機器。
【請求項１１】
前記合図音検出手段は、シャッタ操作時の前記合図音を検出することを特徴とする請求項１０記載のカメラ内蔵の携帯型電子機器。
【請求項１２】
前記合図音発生手段は、前記合図音として可聴音域外の音を発生することを特徴とする請求項１０又は１１記載のカメラ内蔵の携帯型電子機器。
【請求項１３】
前記合図音検出手段は、マイクロフォンからなることを特徴とする請求項１０、１１又は１２記載のカメラ内蔵の携帯型電子機器。
【発明の詳細な説明】
【技術分野】
【０００１】
この発明は、撮影機能を有する携帯型電子機器に係り、例えば電子カメラが搭載された携帯電話機等のカメラ内蔵の携帯型電子機器に関する。
【背景技術】
【０００２】
近年、携帯型電子機器としての携帯電話機には、本来の通話機能や、データ通信機能のみならず、電子カメラが搭載されたものも一般化されてきており、電子メールの送受信に際して、送信者は、周囲の風景や自分自身の顔等を画像データとして添付して受信者側に送信し、受信者はディスプレイ上で相手の様子等を確認することができるようになっている。
このような撮影機能を有する例えば折畳型の携帯電話機１０１には、図１４に示すように、筐体１０２の背面側（折畳時には外面側となる側）には電子カメラの撮影窓１０３が設けられ、この撮影窓１０３の内部側にカメラレンズ１０４が配置されている。なお、同図は、携帯電話機１０１の筐体が閉じた様子を示している。
【０００３】
筐体１０２の正面側（折畳時には内面側となる側）には、表示部、操作部、受話用のスピーカ、送話用のマイクロフォン等が設けられ、表示部にはカメラレンズ１０４の前方の映像が映し出されるようになっている。操作者（撮影者）は、表示部の映像を見ながら被写体の範囲の確認や構図の決定を行う。
また、例えば筐体の側面部に設けられたシャッタ釦を押下することによって、筐体１０２を閉じたままでも撮影が可能とされている。このとき、スピーカからは擬似シャッタ音が出力され、撮影がなされたことを撮影者や、被写体となった者に報知するようにされている。
【０００４】
しかしながら、最近は、筐体１０２を閉じたまま、しかも、スピーカを取り外して、擬似シャッタ音が出力されないようにして、周囲の者に気付かれないように盗撮する者が現れ、社会問題化してきている。筐体１０２のねじを外すと、比較的容易に分解でき、ねじを外して分解しスピーカを取り除いた後に、組み立てて元の状態に戻すことによって、撮影機能は維持されるので、盗撮の意思のある者は、簡単に実行できる。
【０００５】
ところで、カメラに不具合が生じていることが検出されており、撮影操作を継続すると、カメラが故障したり、撮影画像に悪影響が及ぶ可能性がある場合に、主としてカメラ本体を保護することを目的として、カメラの動作を停止させる技術が知られている（例えば、特許文献１参照。）。ここで、主としてカメラ本体を保護することが目的であるので、カメラの動作停止の事実や、その原因も表示装置に表示させり、警報を鳴らしたりして、操作者に通知させることとなる。
また、携帯電話機のスピーカの取出しを検知する方法として、例えば電気的に接続された状態でのスピーカの引出しを検出する方法も、いくつか提案されている（例えば、特許文献２、特許文献３参照。）。
このため、上記技術を組み合わせて、スピーカの取外しを検出して、カメラの起動を停止させて、盗撮を防止することが考えられる。
【特許文献１】特開２００３−８７６４１号公報
【特許文献２】特開２００１−２５７７５３号公報
【特許文献３】特開２００１−２６８２１４号公報
【発明の開示】
【発明が解決しようとする課題】
【０００６】
解決しようとする問題点は、上記従来技術の組合せでは、例えば、カメラの起動停止の事実や、その原因も表示させて、操作者に通知させることが原則となり、悪質な盗撮者に容易にかつ迅速に対策を講じさせることともなるので、盗撮を完全に防止することが困難であるという点である。
【課題を解決するための手段】
【０００７】
上記課題を解決するために、請求項１記載の発明は、撮影するための電子カメラと、上記電子カメラのシャッタ操作時に、シャッタ操作を知らせる合図音を、上記スピーカを介して出力する合図音発生手段とを備えた携帯型電子機器に係り、上記合図音発生手段が、上記スピーカを介して出力できなくなったとき、上記電子カメラを起動不可にする構成になされていることを特徴としている。
【０００８】
また、請求項２記載の発明は、撮影するための電子カメラと、上記電子カメラのシャッタ操作時に、シャッタ操作を知らせる合図音を、上記スピーカを介して出力する合図音発生手段とを備えた携帯型電子機器に係り、上記合図音発生手段が、上記スピーカを介して出力できなくなったとき、シャッタ操作が行われて上記電子カメラによって撮影画像が得られても、少なくとも、該撮影画像は視認不能とされることを特徴としている。
【０００９】
また、請求項３記載の発明は、請求項２記載のカメラ内蔵の携帯型電子機器に係り、上記合図音発生手段が、上記スピーカを介して出力できなくなったとき、上記電子カメラによって撮影画像が得られても、該撮影画像は保存されずに棄却処理されることを特徴としている。
【００１０】
また、請求項４記載の発明は、請求項１、２又は３記載のカメラ内蔵の携帯型電子機器に係り、上記電子カメラの起動停止情報又は警報情報を表示する表示手段と、合図音発生機能の停止のために行われた操作に関する不正操作履歴が記憶される履歴記憶手段と、上記不正操作履歴に基づいて、上記表示手段によって表示される上記起動停止情報又は上記警報情報の内容を制限する表示内容制限手段とを備えてなることを特徴としている。
【００１１】
また、請求項５記載の発明は、請求項４記載のカメラ内蔵の携帯型電子機器に係り、記不正操作履歴は、上記スピーカの着脱回数を含むことを特徴としている。
【００１２】
また、請求項６記載の発明は、請求項４又は５記載のカメラ内蔵の携帯型電子機器に係り、上記不正操作履歴は、上記スピーカが上記合図音発生手段と電気的に非接続状態のときのシャッタ操作回数を含むことを特徴としている。
【００１３】
また、請求項７記載の発明は、請求項１乃至６のいずれか１に記載のカメラ内蔵の携帯型電子機器に係り、上記スピーカと上記合図音発生手段との電気的な非接続状態を検出する非接続状態検出手段と、上記電子カメラを制御して画像情報を生成させるカメラ制御手段とを備えてなり、上記カメラ制御手段は、上記非接続状態検出手段から非接続状態検出信号を受け取ると、上記電子カメラの起動を不可とするか、又は上記電子カメラによって撮影画像が得られても、少なくとも、該撮影画像を視認不能とすることを特徴としている。
【００１４】
また、請求項８記載の発明は、請求項７記載のカメラ内蔵の携帯型電子機器に係り、上記カメラ制御手段は、上記不正操作履歴として、少なくとも上記スピーカが上記合図音発生手段と電気的に非接続状態とされた非接続履歴が上記履歴記憶手段に記憶されている場合には、接続状態に戻されても上記電子カメラの起動を不可とするか、又は上記電子カメラによって撮影画像が得られても、少なくとも、該撮影画像を視認不能とすることを特徴としている。
【００１５】
また、請求項９記載の発明は、請求項７又は８記載のカメラ内蔵の携帯型電子機器に係り、上記非接続状態検出手段は、上記スピーカの前段に配置され出力側のインピーダンスを測定するインピーダンス測定手段を有し、上記インピーダンス測定手段によって測定されたインピーダンスに基づいて、上記スピーカと上記合図音発生手段との電気的な非接続状態を検出することを特徴としている。
【００１６】
また、請求項１０記載の発明は、請求項７、８又は９記載のカメラ内蔵の携帯型電子機器に係り、上記非接続状態検出手段は、上記合図音を検出する合図音検出手段を有し、該合図音検出手段による上記合図音の検出の有無に基づいて、上記スピーカと上記合図音発生手段との電気的な非接続状態を検出することを特徴としている。
【００１７】
また、請求項１１記載の発明は、請求項１０記載のカメラ内蔵の携帯型電子機器に係り、上記合図音検出手段は、シャッタ操作時の上記合図音を検出することを特徴としている。
【００１８】
また、請求項１２記載の発明は、請求項１０又は１１記載のカメラ内蔵の携帯型電子機器に係り、上記合図音発生手段は、上記合図音として可聴音域外の音を発生することを特徴としている。
【００１９】
また、請求項１３記載の発明は、請求項１０、１１又は１２記載のカメラ内蔵の携帯型電子機器に係り、上記合図音検出手段は、マイクロフォンからなることを特徴としている。
【発明の効果】
【００２０】
この発明の構成によれば、スピーカが、合図音発生手段と非接続状態となったときに、電子カメラの起動が不可とされるので、盗撮者が、例えば周囲の者に気付かれることなく不正に撮影しようとしても、撮影を失敗させ盗撮を防止することができる。
また、スピーカが、合図音発生手段と非接続状態となったときに、電子カメラによって撮影画像が得られても、少なくとも、撮影画像は視認不能とされることによって、盗撮者に、撮影の失敗を認識させて、盗撮行為を抑止することができる。
また、不正操作履歴に基づいて、表示手段によって表示する起動停止情報又は警報情報の内容を制限することによって、操作者に容易にかつ迅速に対策を取らせずに、確実に盗撮を防止することができる。
【発明を実施するための最良の形態】
【００２１】
合図音発生手段がスピーカを介して出力できなくなったときに、電子カメラを起動不可とすることによって、盗撮者が、例えば周囲の者に気付かれることなく不正に撮影しようとしても、撮影を失敗させ盗撮を防止するという目的を実現した。
【実施例１】
【００２２】
図１は、この発明の実施例１である携帯電話機の構成を示す斜視図であって、同携帯電話機の筐体が開いた状態の様子を背面側から見た図、図２は、同携帯電話機の構成を示すブロック図、図３は、同携帯電話機の構成を示す斜視図であって、同携帯電話機の筐体が開いた状態の様子を正面側から見た図、図４は、同携帯電話機の構成を示す斜視図であって、同携帯電話機の筐体が閉じた状態の様子を示す図、図５は、同携帯電話機のスピーカが実装された様子を一部破断して示す図、図６は、同スピーカを裏面側から見た図、図７は、同携帯電話機のスピーカ着脱検出部の構成を示す図、また、図８は、同携帯電話機の動作を説明するためのフローチャートである。
【００２３】
この例の携帯電話機（携帯型電子機器）１は、図１、図３及び図４に示すように、折畳可能な筐体２を備えると共に、本来の通話機能やデータ通信機能に加えて、内蔵された電子カメラによる撮影機能を有し、図１及び図２に示すように、当該携帯電話機本体の構成各部を制御する制御部（カメラ制御手段、表示内容制限手段）３と、制御部３が実行する処理プログラムや各種データ等を記憶するための記憶部（履歴記憶手段、画像記憶手段）４と、例えば周囲の風景や人物等を撮影するための電子カメラユニット（電子カメラ）５と、電波の送受信を行うアンテナ６と、アンテナ６を介して無線電波の送受信を行い、所定のプロトコルに従って通話やデータ通信を行うために用いられる無線通信部７と、数字や文字の入力操作等を行うための多数の各種操作キー等からなる操作部８と、折畳時に内側となる側に配設され液晶表示装置からなり例えば待受画面や機能設定画面等が表示される主表示部９と、折畳時に外側となる側に配設され液晶表示装置からなる補助表示部１１と、受話音声出力用スピーカからなる受話部１２と、音声入力用のマイクロフォンからなる送話部１３と、着信時に着信音を発生すると共に、撮影時に擬似シャッタ音を発生するリンガ発生用スピーカ（スピーカ）１４と、撮影時に擬似シャッタ音信号を出力してリンガ発生用スピーカ１４に供給する擬似シャッタ音信号出力部（合図音発生手段）１５と、電池からなる電源部１６とを備えてなっている。また、この携帯電話機１は、リンガ発生用スピーカ１４の携帯電話機本体に対する着脱状態を検出するためのスピーカ着脱検出部（非接続状態検出手段）１７を備えている。
【００２４】
筐体２は、図１及び図３に示すように、ヒンジ部１８で相互に結合された上側筐体１９と下側筐体２１とからなり、ヒンジ部１８は、上側筐体１９と下側筐体２１とを回転自在に結合して当該携帯電話機１に折畳可能な構造を付与している。
制御部３は、ＣＰＵ（中央処理装置）等からなり、記憶部４に記憶された各種処理プログラムを実行し、記憶部４に確保された各種レジスタやフラグを用いて、構成各部を制御し、通信制御処理や、操作制御処理、撮像情報処理、表示制御処理等を行う。
【００２５】
記憶部４は、ＲＯＭ、ＲＡＭ等の半導体メモリからなり、制御部３が実行する上記通信制御処理プログラムや、操作制御プログラム、撮像情報処理プログラム、表示制御プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報、電子カメラユニット５によって撮影された画像情報等の各種情報が記憶された情報記憶領域とを有すると共に、この記憶部４には、制御部３がプログラム実行時に用いる各種レジスタやフラグが確保されている。
【００２６】
上記プログラム記憶領域に記憶された通信制御処理プログラムには、例えば、所定の電話番号に対する発呼処理等を行うための手順が記述されている。
また、操作制御プログラムには、操作部８の各種キーボタンからの入力情報を処理するための手順が記述されている。
また、撮像情報処理プログラムには、電子カメラユニット５を制御するためのカメラ制御プログラムが含まれていると共に、スピーカ着脱検出部１７を介してリンガ発生用スピーカ１４の装着が検知された場合には、電子カメラユニット５に、撮像デバイスによる光電変換処理や、画像処理部によるアナログ／デジタル変換処理及び所定の画像処理を含む画像変換処理を実行させ、得られた画像情報を記憶部４に記憶させ、さらに、主表示部９に表示させるための手順と、スピーカ着脱検出部１７を介してリンガ発生用スピーカ１４の離脱が検知された場合には、電子カメラユニット５の起動を停止させ、撮像デバイスによる光電変換処理等を行わせないための手順とが記述されている。
【００２７】
また、表示制御プログラムは、表示内容制限プログラムを含み、この表示内容制限プログラムには、上記情報記憶領域に記憶された不正操作履歴を含む判定情報に基づいて、主表示部９で表示する起動停止情報又は警報情報の内容を制限するための手順が記述されている。
この例では、原則として、主表示部９等に何も表示させないこととし、例えば携帯電話機を長期間使用した後に、初めてリンガ発生用スピーカ１４を取り外したと判断され、悪質度が比較的低いと判断されるような場合に、「カメラ故障中」等のメッセージを主表示部９に表示させるものとする。
【００２８】
また、上記情報記憶領域には、スピーカ着脱検出部１７を介してスピーカ離脱が検知された場合に、操作者に対して、電子カメラが起動不可となった旨の報知を行うべきか否かを判定するための判定情報等が記憶されている。この判定情報等は、例えば、スピーカの擬似シャッタ音発生機能の停止のために行われた操作に関する不正操作履歴や、報知を行う場合の主表示部９に表示させるメッセージ情報（「カメラ故障中」等）を含んでいる。
また、上記不正操作履歴は、スピーカの着脱回数及び非接続状態での撮影操作回数を含んでいる。
【００２９】
電子カメラユニット５は、図２及び図３に示すように、上側筐体１９の折畳時に外側となる面に設けられ、被写体から到来した光が入射する撮影窓部２２と、撮影窓部２２の近傍に配置された例えば標準レンズからなるカメラレンズ２３と、カメラレンズ２３を介して結像した画像を光電変換して電気信号としての画像信号を出力するＣＣＤ撮像素子等からなる撮像デバイス（撮像手段）２４と、撮像デバイス２４から送られてきた画像信号をＡ／Ｄ変換し、デジタル化した信号にガンマ変換、色空間変換等の画像処理を施す画像処理部（画像変換処理手段）２５とを有している。
【００３０】
無線通信部７は、ＲＦ回路や、変復調回路、ベースバンド処理回路等からなり、音声やデータを変調してアンテナ８を介して無線電波として送信すると共に、無線電波をアンテナ８を介して受信して音声やデータに復調し、所定のプロトコルに従って通話やデータ通信を行うために用いられる。
操作部８は、電子カメラユニット５による撮影を可能とする撮影モードを選択すると共にシャッタ釦を兼ねる撮影モードキー８ａや、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部９に表示された表示画面状のカーソルを上下左右方向へ移動させるためのカーソルキーと、例えば数字等を入力するためのテンキー群とを有している。
【００３１】
主表示部９は、上側筐体１９の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部１１は、上側筐体１９の折畳時に外側となる面の中央部に配設され、例えば透過型の液晶表示パネルを有してなり、現在時刻や着信通知等の表示がなされる。
【００３２】
リンガ発生用スピーカ１４は、着信時に着信音を発生すると共に、撮影を知らせる合図音としての擬似シャッタ音を発生し、図５に示すように、上側筐体１９の上端部の折畳時に内側となる側に配設され、図６に示すように、裏面側には、音声信号入力用端子１４ａ，１４ｂと着脱検出用端子１４ｃ，１４ｄとが設けられている。ここで、着脱検出用端子１４ｃ，１４ｄは、リンガ発生用スピーカ本体内では短絡状態とされている。なお、このリンガ発生用スピーカ１４は、ハンズフリー時にも使用される。
スピーカ着脱検出部１７は、図７に示すように、リンガ発生用スピーカ１４の着脱検出用端子１４ｄが、抵抗Ｒ１を介して電源部１６の正極側に接続され、着脱検出用端子１４ｃが、制御部３のスピーカ検知用端子３ａに接続されていると共に、抵抗Ｒ２を介して接地に接続されて概略構成されている。抵抗Ｒ１、抵抗Ｒ２の抵抗値は、例えば、１０[ｋΩ]、１[ＭΩ]である。
【００３３】
これによって、リンガ発生用スピーカ１４が当該携帯電話機本体に装着されているときは、着脱検出用端子１４ｃ，１４ｄ、抵抗Ｒ１を介して、制御部３のスピーカ検知用端子３ａには「Ｈ」レベルの電圧が入力され、制御部３は、スピーカ装着状態を検知し、リンガ発生用スピーカ１４が当該携帯電話機本体から例えば取り外されているときは、制御部３のスピーカ検知用端子３ａには電源部１６の電圧は供給されず、抵抗Ｒ２を介して接地に接続されて「Ｌ」レベルの電圧が入力され、制御部３は、スピーカ離脱状態を検知する。
【００３４】
次に、図８を参照してこの例の携帯電話機１の動作について説明する。
電源投入後、制御部３は、操作者による入力操作や着信を待機する待受モードに入り、主表示部１２には待受画面を表示させる。
この状態において、操作者が、撮影モードキー８ａを押下して、撮影モードを選択すると、制御部３は、カメラ起動要求として受け付る（ステップＳＴ１１（図８））。
【００３５】
次に、制御部３は、スピーカ着脱検出部１７を介してリンガ発生用スピーカ１４の着脱状態を判断する（ステップＳＴ１２）。
制御部３は、スピーカ着脱検出部１７を介してスピーカ検知用端子３ａに「Ｈ」レベルの電圧が入力されて、リンガ発生用スピーカ１４が携帯電話機本体に装着されていると判断した場合は、ステップＳＴ１３で、撮影モードに移行する（すなわち、電子カメラユニット５を起動させる）。
【００３６】
制御部３は、主表示部９には、カメラレンズ２３の前方の被写体を画面表示すると共に、現在、撮影スタンバイ状態であり、再び撮影モードキー８ａを押下することにより撮影可能である旨のメッセージを表示させる。
操作者は、被写体に向けて、当該携帯電話機１を構え、主表示部９に映し出された被写体の映像を見て、好みの大きさや撮影範囲で映し出されるように、当該携帯電話機１の姿勢等を修正し構図を決定する。
構図を決定し撮影範囲等を確認したならば、操作者は撮影モードキー８ａを再び押下する。
【００３７】
ステップＳＴ１４で、制御部３が、この撮影モードキー８ａの押下を、シャッタ釦の押下として認識すると、ステップＳＴ１５で、擬似シャッタ音信号出力部１５に擬似シャッタ音信号をリンガ発生用スピーカ１４に対して供給させる。
これによって、リンガ発生用スピーカ１４は擬似シャッタ音が発生し、操作者や、被写体となった人物、周囲の者は、撮影がなされたことを知る。
【００３８】
同時に、この操作によって、撮影画像が取り込まれ、制御部３は、撮影によって得られた画像データを画像処理部２５から受け取ると、記憶部４に格納し、この画像データに基づいて所定の表示信号を主表示部９に与えて画像を表示させる。
この後、操作者が例えば友人宛てに電子メールに撮影した印刷物の画像を添付して送信したいと考えて、操作部８のメールモード選択キーを押下してメールモードとし、送信操作を行った場合は、これによって、制御部３は、撮影によって得られた画像データを、無線通信部７を介して操作者が指定した他の携帯電話機等へ送信する。
【００３９】
一方、ステップＳＴ１２で、制御部３は、スピーカ着脱検出部１７を介してスピーカ検知用端子３ａに「Ｌ」レベルの電圧が入力されて、リンガ発生用スピーカ１４が携帯電話機本体から離脱したと判断した場合は、撮影モードキー８ａが押下されていても、撮影モードに移行せずに、カメラ起動処理を停止する（ステップＳＴ１６）。
次に、制御部３は、記憶部４の情報記憶領域に記憶された判定情報等に基づいて、操作者に対して、電子カメラが起動不可となった旨の報知を行うべきか否かの判定を行う（ステップＳＴ１７）。
【００４０】
ここで、制御部３は、例えば、主表示部９に故障表示をさせるか否か判定し、悪質度が比較的低いと判断されるような場合には、故障表示を行わせるべきものとし、主表示部９に、例えば、「カメラ故障中」とメッセージ表示させる（ステップＳＴ１８）。制御部３は、ステップＳＴ１７で、例えば、主表示部９に故障表示をさせないと判定した場合には、一連の処理を終了する。なお、この例では、原則として、主表示部９等に何も表示させないこととする。
【００４１】
この例の構成によれば、リンガ発生用スピーカ１４が取り外されると、制御部３は、カメラの起動を停止させるので、盗撮者が、例えば周囲の者に気付かれることなく不正に撮影しようとしても、撮影を失敗させ盗撮を防止することができる。
また、スピーカ離脱が検知された場合に、原則として例えば主表示部９に何も表示させないことによって、操作者に容易にかつ迅速に対策を取らせずに、盗撮防止機能を継続させることができる。
【実施例２】
【００４２】
この例が上述した実施例１と大きく異なるところは、一旦スピーカ離脱が検知されると、離脱履歴情報として記憶部に記憶し、スピーカが再び装着されても、この離脱履歴情報に基づいて、電子カメラユニットによる撮影機能の停止を継続する点である。
これ以外の構成は、上述した実施例１の構成と略同一であるので、その説明を簡略にする。
【００４３】
この例の携帯電話機では、記憶部４のプログラム記憶領域には、撮像情報処理プログラムが記憶されている。この撮像情報処理プログラムには、電子カメラユニット５を制御するためのカメラ制御プログラムが含まれていると共に、スピーカ着脱検出部１７を介してスピーカ装着が検知された場合には、電子カメラユニット５に、撮像デバイスによる光電変換処理や、画像処理部によるアナログ／デジタル変換処理及び所定の画像処理を含む画像変換処理を実行させ、得られた画像情報を記憶部４に記憶させ、さらに、主表示部９に表示させるための手順と、スピーカ着脱検出部１７を介して、カメラ起動要求時に、最初にスピーカ離脱が検知された場合には、電子カメラユニット５を起動させないと共に、スピーカ離脱の検知時刻等を含む離脱検知情報を離脱履歴情報（不正操作履歴、非接続履歴）として、情報記憶領域に記憶するための手順と、２度目以降のカメラ起動要求時には、情報記憶領域に記憶された離脱履歴情報に基づいて、電子カメラユニット５の起動を不可とするための手順とが記述されている。
制御部３は、カメラ起動要求を受け付けると、記憶部４に記憶されたこの撮像情報処理プログラムに基づいて、一旦スピーカ離脱が検知されると、スピーカ１２が再び携帯電話機本体に装着されても、上記離脱履歴情報に基づいて、電子カメラユニット５による撮影機能の停止を継続する。すなわち、恒久的に撮影を禁止する。
【００４４】
この例の構成によれば、上述した実施例１と略同様の効果を得ることができる。
加えて、制御部３は、一旦スピーカ離脱が検知されると、リンガ発生用スピーカ１４が再び携帯電話機本体に装着されても、撮影機能の停止を継続するので、この携帯電話機を用いた盗撮を確実に防止することができる。
【実施例３】
【００４５】
図９は、この発明の実施例３である携帯電話機のスピーカ着脱検出部の構成を示す図、また、図１０は、同携帯電話機の動作を説明するためのフローチャートである。
この例が上述した実施例１と大きく異なるところは、スピーカ離脱をインピーダンス測定回路によって検出する点である。
これ以外の構成は、上述した実施例１の構成と略同一であるので、その説明を簡略にする。
【００４６】
この例のスピーカ着脱検出部（非接続状態検出手段）１７Ａは、図９に示すように、出力側がリンガ発生用スピーカ１４に、入力側が擬似シャッタ音信号出力部１５に接続されたインピーダンス測定回路（インピーダンス測定手段、非接続状態検出手段）２７を有してなっている。
この例のインピーダンス測定回路２７は、被測定インピーダンスに直列に既知のインピーダンス値Ｚsを持つ高インピーダンス素子を接続し、入出力電圧比と、既知のインピーダンス値Ｚsとから、測定対象のインピーダンスを測定する。
このインピーダンス測定回路２７には、擬似シャッタ音信号出力部１５から出力された擬似シャッタ音信号が入力され、出力側のインピーダンスを測定し、リンガ発生用スピーカ１４の接続状態／非接続状態に応じて、制御部３へ検出信号を出力する。インピーダンス検出回路２１は、リンガ発生用スピーカ１４の接続状態で、比較的低いインピーダンスを測定した場合は、制御部３へ例えば「Ｈ」レベルの信号を出力し、リンガ発生用スピーカ１４の非接続状態で、比較的高いインピーダンスを測定した場合は、制御部３へ「Ｌ」レベルの信号を出力する。
なお、この例では、リンガ発生用スピーカ１４では、着脱検出用端子１４ｃ，１４ｄは、廃される。
【００４７】
次に、図１０を参照してこの例の携帯電話機の動作について説明する。
操作者が、撮影モードキー８ａを押下して、撮影モードを選択すると、制御部３は、カメラ起動要求として受け付け（ステップＳＵ１１（図１０））、ステップＳＵ１２で、撮影モードに移行する（すなわち、電子カメラユニット５を起動させる）。
制御部３は、主表示部９には、カメラレンズ２３の前方の被写体を画面表示すると共に、現在、撮影スタンバイ状態であり、再び撮影モードキー８ａを押下することにより撮影可能である旨のメッセージを表示させる。
操作者は、被写体に向けて、当該携帯電話機１を構え、主表示部９に映し出された被写体の映像を見て、好みの大きさや撮影範囲で映し出されるように、当該携帯電話機１の姿勢等を修正し構図を決定する。
構図を決定し撮影範囲等を確認したならば、操作者は撮影モードキー８ａを再び押下する。
【００４８】
ステップＳＵ１３で、制御部３が、この撮影モードキー８ａの押下を、シャッタ釦の押下として認識すると、擬似シャッタ音信号出力部１５に擬似シャッタ音信号を、インピーダンス検出回路２７を介してリンガ発生用スピーカ１４に対して供給させる（ステップＳＵ１４）。
次に、制御部３は、インピーダンス測定回路２７からの出力に基づいて、インピーダンス測定回路２７の出力側のインピーダンスが正常か否か判断し、リンガ発生用スピーカ１４の接続状態／非接続状態の検知を行う（ステップＳＵ１５）。
制御部３は、インピーダンス測定回路２７から、リンガ発生用スピーカ１４の接続状態に対応した出力（この例では、「Ｈ」レベルの信号）を受け取った場合は、インピーダンスが正常であると判断し、ステップＳＵ１６へ進み、擬似シャッタ音が出力され、撮影画像が取り込まれ、制御部３は、撮影によって得られた画像データを画像処理部２５から受け取ると、記憶部４に格納し、この画像データに基づいて所定の表示信号を主表示部９に与えて画像を表示させる。
この場合は、リンガ発生用スピーカ１４からの擬似シャッタ音の発生によって、操作者や、被写体となった人物、周囲の者は、撮影がなされたことを知る。
【００４９】
一方、ステップＳＵ１５で、制御部３は、インピーダンス検出回路２１から、リンガ発生用スピーカ１４の非接続状態に対応した出力（この例では、「Ｌ」レベルの信号）を受け取った場合は、インピーダンスが異常であると判断し、ステップＳＵ１７へ進み、撮影によって得られた画像データを画像処理部２５から受け取ると、記憶部４に格納せずに、棄却する。
この場合は、リンガ発生用スピーカ１４からは擬似シャッタ音が発生されない。制御部３は、主表示部９に、「カメラ故障」や「撮影できませんでした」等のメッセージを表示させても良い。
【００５０】
この例の構成によれば、上述した実施例１と略同様の効果を得ることができる。
【実施例４】
【００５１】
図１１は、この発明の実施例４である携帯電話機のスピーカ着脱検出部の構成を示す図、また、図１２は、同携帯電話機の動作を説明するためのフローチャートである。
この例が上述した実施例１と大きく異なるところは、スピーカ離脱を送話部のマイクロフォンによって検知する点である。
これ以外の構成は、上述した実施例１の構成と略同一であるので、その説明を簡略にする。
【００５２】
この例のスピーカ着脱検出部（非接続状態検出手段）１７Ｂは、図１１に示すように、リンガ発生用スピーカ１４から出力される擬似シャッタ音を検出するマイクロフォン（合図音検出手段、非接続状態検出手段）１３ａを有してなっている。この例では、擬似シャッタ音を検出するマイクロフォン１３ａとして、送話部１３を構成するマイクロフォンが用いられる。
このマイクロフォン１３ａは、擬似シャッタ音が入力されると、制御部３へ検出信号を出力する。
【００５３】
次に、図１２を参照してこの例の携帯電話機の動作について説明する。
操作者が、撮影モードキー８ａを押下して、撮影モードを選択すると、制御部３は、カメラ起動要求として受け付け（ステップＳＶ１１（図１２））、ステップＳＶ１２で、撮影モードに移行する（すなわち、電子カメラユニット５を起動させる）。
制御部３は、主表示部９には、カメラレンズ２３の前方の被写体を画面表示すると共に、現在、撮影スタンバイ状態であり、再び撮影モードキー８ａを押下することにより撮影可能である旨のメッセージを表示させる。
操作者は、被写体に向けて、当該携帯電話機１を構え、主表示部９に映し出された被写体の映像を見て、好みの大きさや撮影範囲で映し出されるように、当該携帯電話機１の姿勢等を修正し構図を決定する。
構図を決定し撮影範囲等を確認したならば、操作者は撮影モードキー８ａを再び押下する。
【００５４】
ステップＳＶ１３で、制御部３が、この撮影モードキー８ａの押下を、シャッタ釦の押下として認識すると、擬似シャッタ音信号出力部１５に擬似シャッタ音信号を、リンガ発生用スピーカ１４に対して供給させる（ステップＳＶ１４）。
次に、制御部３は、マイクロフォン１３ａからの出力の有無に基づいて、リンガ発生用スピーカ１４からの擬似シャッタ音が検出された否か判断する（ステップＳＶ１５）。
制御部３は、マイクロフォン１３ａから出力を受け取った場合は、シャッタ釦の押下と共に、リンガ発生用スピーカ１４から擬似シャッタ音が出力されたと判断し、ステップＳＶ１６へ進み、撮影画像が取り込まれ、撮影によって得られた画像データを画像処理部２５から受け取ると、制御部３は、画像データを記憶部４に格納し、この画像データに基づいて所定の表示信号を主表示部９に与えて画像を表示させる。
この場合は、リンガ発生用スピーカ１４からの擬似シャッタ音の発生によって、操作者や、被写体となった人物、周囲の者は、撮影がなされたことを知る。
【００５５】
一方、ステップＳＶ１５で、制御部３は、マイクロフォン１３ａから出力を受け取らなかった場合は、シャッタ釦押下によって、リンガ発生用スピーカ１４から擬似シャッタ音が出力されていないと判断し、ステップＳＶ１７へ進み、撮影によって得られた画像データを画像処理部２５から受け取ると、記憶部４に格納せずに、棄却する。
この場合は、リンガ発生用スピーカ１４からは擬似シャッタ音が発生されない。
【００５６】
この例の構成によれば、上述した実施例１と略同様の効果を得ることができる。
加えて、マイクロフォンは、送話部のものを流用し、新たに専用の回路を設ける必要がないので、コストを抑えることができる。
【実施例５】
【００５７】
図１３は、この発明の実施例５である携帯電話機の動作を説明するためのフローチャートである。
この例が上述した実施例３と大きく異なるところは、可聴域外の不可聴音に対応する不可聴音信号を発生させて、所定のタイミングでスピーカに与えて、インピーダンスを測定して、スピーカ離脱を検知する点である。
これ以外の構成は、上述した実施例３の構成と略同一であるので、その説明を簡略にする。
【００５８】
この例では、実施例３の場合と同様に、スピーカ着脱検出部１７Ａは、入力側がリンガ発生用スピーカ１４に、出力側が擬似シャッタ音信号出力部１５に接続されたインピーダンス測定回路２７を有してなっている（図９参照）。
擬似シャッタ音信号出力部１５は、不可聴音に対応する不可聴音信号の発生が可能とされている。
【００５９】
次に、図１３を参照してこの例の携帯電話機の動作について説明する。
操作者が、撮影モードキー８ａを押下して、撮影モードを選択すると、制御部３は、カメラ起動要求として受け付け（ステップＳＷ１１（図１３））、ステップＳＷ１２で、撮影モードに移行する（すなわち、電子カメラユニット５を起動させる）。
制御部３は、主表示部９には、カメラレンズ２３の前方の被写体を画面表示すると共に、現在、撮影スタンバイ状態であり、再び撮影モードキー８ａを押下することにより撮影可能である旨のメッセージを表示させる。
操作者は、被写体に向けて、当該携帯電話機１を構え、主表示部９に映し出された被写体の映像を見て、好みの大きさや撮影範囲で映し出されるように、当該携帯電話機１の姿勢等を修正し構図を決定する。
構図を決定し撮影範囲等を確認したならば、操作者は撮影モードキー８ａを再び押下する。
【００６０】
ステップＳＷ１３で、制御部３が、この撮影モードキー８ａの押下を、シャッタ釦の押下として認識すると、擬似シャッタ音信号出力部１５に不可聴音信号を、インピーダンス測定回路２７を介してリンガ発生用スピーカ１４に対して供給させる（ステップＳＷ１４）。
次に、制御部３は、インピーダンス測定回路２７からの出力に基づいて、インピーダンス測定回路２７の出力側のインピーダンス正常か否か判断し、リンガ発生用スピーカ１４の接続状態／非接続状態の検知を行う（ステップＳＷ１５）。
【００６１】
制御部３は、インピーダンス測定回路２７から、リンガ発生用スピーカ１４の接続状態に対応した出力を受け取った場合は、インピーダンスが正常であると判断し、ステップＳＷ１６へ進み、擬似シャッタ音信号出力部１５に擬似シャッタ音信号を、インピーダンス測定回路２７を介してリンガ発生用スピーカ１４に対して供給させる（ステップＳＷ１６）。
これにより、リンガ発生用スピーカ１４は擬似シャッタ音（可聴音）が発生し、操作者や、被写体となった人物、周囲の者は、撮影がなされたことを知ると共に、撮影画像が取り込まれ、制御部３は、撮影によって得られた画像データを画像処理部２５から受け取ると、記憶部４に格納し、この画像データに基づいて所定の表示信号を主表示部９に与えて画像を表示させる（ステップＳＷ１７）。
【００６２】
一方、ステップＳＷ１５で、制御部３は、インピーダンス測定回路２７から、リンガ発生用スピーカ１４の非接続状態に対応した出力を受け取った場合は、インピーダンスが異常であると判断し、ステップＳＷ１８へ進み、撮影によって得られた画像データを画像処理部２５から受け取ると、記憶部４に格納せずに棄却する。次に、操作者に対して、電子カメラが起動不可となった旨の報知を行うべきか否かの判定を行う（ステップＳＷ１９）。
ここで、制御部３は、例えば、主表示部９に故障表示をさせるか否か判定し、悪質度が比較的低いと判断されるような場合には、故障表示を行わせるべきものとし、主表示部９に、例えば、「カメラ故障中」とメッセージ表示させる（ステップＳＷ２０）。
なお、制御部３は、ステップＳＷ１８で、例えば、主表示部９に故障表示をさせないと判定した場合には、一連の処理を終了する。
【００６３】
この例の構成によれば、上述した実施例３と略同様の効果を得ることができる。
加えて、不可聴音を用いるので、操作者が気付くことなく、任意のタイミングで、スピーカの着脱状態を検知することができる。
また、必要に応じて故障表示を行うことによって、操作者にカメラ故障と認識させて、カメラ機能の使用中止を促すことができる。
【００６４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、スピーカ離脱が検知された場合に、原則として主表示部９に何も表示させない場合について述べたが、主表示部９に「カメラ故障中」等のメッセージを表示させるようにしても良い。また、さらに悪質度が比較的低いと判断されるような場合には、「不正処理のためカメラ使用不可」等の理由を含めたメッセージを表示させて、操作者に注意を促すようにしても良い。
【００６５】
また、リンガ発生用スピーカ１４が携帯電話機本体から完全に取り外された場合に限らず、リンガ発生用スピーカ１４が擬似シャッタ音信号出力部１５に対して非接続状態にあることが検知された場合（例えば断線等）にも、撮影機能を停止させるように構成しても良い。
また、合図音としては、擬似シャッタ音に限らず、例えば、音声メッセージ等であっても良い。
【００６６】
また、リンガ発生用スピーカ１４は、単数とは限らず、複数設けられていても良い。この場合、全てのリンガ発生用スピーカ１４が擬似シャッタ音信号出力部１５に対して非接続状態にあることが検知されたときに、撮影機能を停止させるように構成しても良いし、少なくとも１つのリンガ発生用スピーカ１４が擬似シャッタ音信号出力部１５に対して非接続状態にあることが検知されたときに、撮影機能を停止させるように構成しても良い。
また、撮影モードキーは、兼用に限らず、専用のシャッタキーを例えば側面部にサイドキーとして設けても良い。
また、スピーカから出力される擬似シャッタ音の音量が調整可能とされている場合に、この音量が所定のレベル以下に設定された状態で、シャッタ釦が操作されたときに、電子カメラを起動不可にするように構成しても良い。
【００６７】
また、実施例３で、インピーダンス測定回路としては、電圧電流計法によるものでも良いし、ブリッジ法によるものでも良いし、共振法によるものでも良い。また、インピーダンスを測定する場合について述べたが、スピーカ接続時のインピーダンスの値に対する増加分を測定して、スピーカの非接続状態を判定するようにしても良い。
また、実施例１で用いた図７に示すスピーカ着脱検出部１７を構成する配線や抵抗等の部品をそのまま残しておいて、インピーダンス測定回路と併用しても良いし、故障時の代替回路として用いるようにしても良い。
また、実施例４で、マイクロフォンとして、送話部のマイクロフォンを用いる場合について述べたが、スピーカ着脱検出用のものを専用に、例えばリンガ発生用スピーカ１４の近傍に設けても良い。
【００６８】
また、実施例５で、インピーダンス測定に代えて、マイクロフォンを用いて発生音を検知するようにしても良いし、インピーダンス測定と発生音検知とを併用しても良い。
また、実施例５では、シャッタ釦押下後に、不可聴音信号を発生させて、インピーダンスの正常／異常を判定する場合について述べたが、シャッタ釦押下時に限らず、電源釦等他の釦の操作時に、スピーカからの発生音の有無を調べるようにしても良いし、操作時以外でも、例えば、電子カメラの起動直前や、起動直後等に調べても良い。
【００６９】
また、実施例５では、例えば周期的に不可聴音信号を発生させて、インピーダンスの正常／異常を予め判定しておいて、シャッタ釦押下直後に、擬似シャッタ音出力及び画像保存、又は画像棄却を行うようにしても良い。
また、実施例５では、スピーカが非接続状態で、シャッタ釦が操作されたときに、電子カメラを起動不可とせず、撮影画像を保存はしても、表示部に表示させないようにしても良いし、表示させても、例えば一部の領域を欠落させて斑状とする等視認不能な状態としても良い。また、実施例５で、故障表示の判断及び表示を省略するようにしても良い。
【産業上の利用可能性】
【００７０】
携帯型の電子機器としての携帯電話機に適用することができるほか、デジタルカメラや、撮影機能を有する携帯情報端末（ＰＤＡ）等に適用することもできる。
【図面の簡単な説明】
【００７１】
【図１】この発明の実施例１である携帯電話機の構成を示す斜視図であって、同携帯電話機の筐体が開いた状態の様子を背面側から見た図である。
【図２】同携帯電話機の構成を示すブロック図である。
【図３】同携帯電話機の構成を示す斜視図であって、同携帯電話機の筐体が開いた状態の様子を正面側から見た図である。
【図４】同携帯電話機の構成を示す斜視図であって、同携帯電話機の筐体が閉じた状態の様子を示す図である。
【図５】同携帯電話機のスピーカが実装された様子を一部破断して示す図でくある。
【図６】同スピーカを裏面側から見た図である。
【図７】同携帯電話機のスピーカ着脱検出回路の構成を示す図である。
【図８】同携帯電話機の動作を説明するためのフローチャートである。
【図９】この発明の実施例３である携帯電話機のスピーカ着脱検出部の構成を示す図である。
【図１０】同携帯電話機の動作を説明するためのフローチャートである。
【図１１】この発明の実施例４である携帯電話機のスピーカ着脱検出部の構成を示す図である。
【図１２】同携帯電話機の動作を説明するためのフローチャートである。
【図１３】この発明の実施例５である携帯電話機の動作を説明するためのフローチャートである。
【図１４】従来技術を説明するための説明図である。
【符号の説明】
【００７２】
１      携帯電話機（携帯型電子機器）
３      制御部（カメラ制御手段、表示内容制限手段）
４      記憶部（履歴記憶手段、画像記憶手段）
５        電子カメラユニット（電子カメラ）
９      主表示部（表示手段）
１１      補助表示部（表示手段）
１３      送話部
１３ａ    マイクロフォン（合図音検出手段、非接続状態検出手段）
１４      リンガ発生用スピーカ（スピーカ）
１５      擬似シャッタ音信号出力部（合図音発生手段）
１７，１７Ａ，１７Ｂ      スピーカ着脱検出部（非接続状態検出手段）
２７      インピーダンス測定回路（インピーダンス測定手段、非接続状態検出手段）
【図１】
2005117627.tif 000003
【図２】
2005117627.tif 000004
【図３】
2005117627.tif 000005
【図４】
2005117627.tif 000006
【図５】
2005117627.tif 000007
【図６】
2005117627.tif 000008
【図７】
2005117627.tif 000009
【図８】
2005117627.tif 000010
【図９】
2005117627.tif 000011
【図１０】
2005117627.tif 000012
【図１１】
2005117627.tif 000013
【図１２】
2005117627.tif 000014
【図１３】
2005117627.tif 000015
【図１４】
2005117627.tif 000016